(57)【要約】  光源の光を配光制御して所望の特定方向に明るく効率よく均一に照明可能な棚板用導光素子および照明装置を得るために、入射した光を所定角度範囲に拡散しながら全反射する拡散部１４を有する第一反射面１２Ａａを備えた反射面を有し、第一反射面により反射された光の一部を屈折させて射出し、残りの光を全反射する程度に第一反射面に対して傾斜した射出面１３Ａから射出する棚板用導光素子１Ａ〜１Ｈとし、この棚板用導光素子１Ａ〜１Ｈと光源（点状光源２）と、を備えた照明装置１０Ａ〜１０Ｈとした。
2012105315.tif 000002
【特許請求の範囲】
【請求項１】
光源から出射される光が入射する入射面と、入射した光を反射する反射面と、反射された光を射出する射出面を備えた導光素子であって、
前記反射面は、入射した光を全反射する第一反射面を備え、
前記射出面は、前記第一反射面により全反射された光の一部を屈折させて射出し、残りの光を全反射するように前記第一反射面に対して傾斜した射出面で、射出光の最大強度光は射出面法線方向に対して傾斜した方向に射出し、
前記第一反射面は入射した光を所定角度範囲に拡散しながら全反射する拡散部を備えると共に、
棚板の前端部に沿って設置され、棚板の少なくとも上下の一方を照明することを特徴とする棚板用導光素子。
【請求項２】
前記拡散部は、色ムラの発生を抑制可能な拡散角度で拡散することを特徴とする請求項１に記載の棚板用導光素子。
【請求項３】
前記射出光の最大強度光は、射出面法線方向に対して３０度より大きな角度傾斜した方向に射出することを特徴とする請求項１または２に記載の棚板用導光素子。
【請求項４】
前記射出面は、前記第一反射面に対して平行位置から１〜３０度傾斜していることを特徴とする請求項１から３のいずれかに記載の棚板用導光素子。
【請求項５】
前記入射面は、この入射面に対して略垂直に入射する光が前記第一反射面から全反射されるように傾斜していることを特徴とする請求項１から４のいずれかに記載の棚板用導光素子。
【請求項６】
前記入射面は、前記第一反射面に対して平行位置から５０〜８０度傾斜していることを特徴とする請求項５に記載の棚板用導光素子。
【請求項７】
前記入射面は前記点状光源を所定間隔で複数並設可能な程度に長寸とされ、この長手方向に沿って同寸の反射面と射出面を有することを特徴とする請求項１から６のいずれかに記載の棚板用導光素子。
【請求項８】
前記反射面は、前記第一反射面に略平行に対向し、前記第一反射面から光を受けて前記第一反射面に向けて反射する第二反射面を有することを特徴とする請求項１から７のいずれかに記載の棚板用導光素子。
【請求項９】
前記拡散部は、前記射出面に向けて反射光を反射する部位に設けられていることを特徴とする請求項１から８のいずれかに記載の棚板用導光素子。
【請求項１０】
光源と、該光源から出射される光が入射する入射面と、入射した光を反射する反射面と、反射された光を射出する射出面を備えた導光素子と、を備えた照明装置であって、
前記導光素子として請求項１から９のいずれかに記載された棚板用導光素子を備えたことを特徴とする照明装置。
【請求項１１】
前記棚板用導光素子は、第一および第二棚板用導光素子を有する一対二個の棚板用導光素子からなり、一つの前記光源が発する光を異なる二方向に導光することを特徴とする請求項１０に記載の照明装置。
【請求項１２】
前記棚板用導光素子は、前記光源が発する光を異なる二方向に分岐する分岐部を備えた一体型であって、一つの前記光源が発する光を異なる二方向に導光する第一および第二導光部を有することを特徴とする請求項１０に記載の照明装置。
【請求項１３】
前記光源は点状光源であることを特徴とする請求項１０から１２のいずれかに記載の照明装置。
【請求項１４】
前記点状光源はＬＥＤ光源であることを特徴とする請求項１３に記載の照明装置。
【請求項１５】
前記光源を所定間隔で複数並設し、この並設する長手方向に沿って長寸の入射面と反射面と射出面を有し、棚板の前端部に沿って設置することを特徴とする請求項１０から１４のいずれかに記載の照明装置。
【発明の詳細な説明】
【技術分野】
【０００１】
本発明は、棚板用導光素子および照明装置に関し、例えば、ショーケース等に配設され、ショーケースの棚板に陳列される商品の照明に好適な照明装置、およびそれに用いる棚板用導光素子に関する。
【背景技術】
【０００２】
従来から、ショーケースに配設され、ショーケースに陳列された商品を照明するものとして、蛍光灯が広く用いられている。蛍光灯は、一般に電気エネルギーを可視放射、赤外放射、紫外放射に変換し、可視光線を放射することで、照明として用いるものである。その際、熱損失が生じるため、蛍光灯自体のみならず、当該蛍光灯による輻射熱によって、陳列された商品が加熱されるという問題があり、ショーケース用の照明装置の光源としては、必ずしも好ましいものとはいえない。【０００３】
近年、発光効率の向上や発光量の増加と共に、寿命が長く消費電力が小さくて、環境にやさしいとされるＬＥＤ（Light  Emitting  Diode：発光ダイオード）を用いた照明装置が実用化されつつある。また、青色ＬＥＤチップが開発されて以来、この青色ＬＥＤチップと、このＬＥＤチップからの光に励起されて所定波長の励起光を発光する蛍光体と、を組み合わせて白色発光する白色ＬＥＤ光源や、青色ＬＥＤチップと緑色ＬＥＤチップと赤色ＬＥＤチップとの三原色のＬＥＤチップを用いて白色光を合成する白色ＬＥＤ光源が開発されている。【０００４】
そのために、照明装置として、この白色ＬＥＤ光源を配設したＬＥＤ照明装置を用いると、消費電力削減や製品寿命の長寿命化を図ることができて好ましい。特に、ショーケースなどの陳列棚の照明装置として、消費電力が小さく、発熱も小さいＬＥＤ光源を用いることが模索されており、例えば、陳列棚の前端部に立設される商品落下防止用のガードの下側にＬＥＤ照明装置を配設し、棚上の商品に向けて照射する構成のショーケースが既に提案されている（例えば、特許文献１参照）。【０００５】
また、陳列棚の先端に設けられたプライスレール内にＬＥＤ光源を配設して、光源の手前側に設けた反射板を介して棚の上下を照射するとしたショーケースが既に提案されている（例えば、特許文献２参照）。
【先行技術文献】
【特許文献】
【０００６】
【特許文献１】特開２０１０−８２１１５号公報
【特許文献２】特開２０１０−７８２５１号公報
【発明の概要】
【発明が解決しようとする課題】
【０００７】
ところで、特許文献１に記載されたショーケースでは、ガードを透光性の板材製として、このガードを通してＬＥＤ光源から出射される光を棚上の商品に向けて照射しているので、射出光が大きく散乱してしまい暗くなってしまい、均一に効率よく照明することができない問題が生じる。【０００８】
また、特許文献２に記載されたショーケースのように、一つのＬＥＤ光源で棚の上下を同時に照明する構成では、少ない光源数で効率よく照明できるため、ある程度の照度を確保しながら光源の部品点数を抑えることができコスト削減図ることができる。しかし、棚の手前側に設置した反射板からの反射光により、商品の照明を行っているため、光源から射出された光の向きを変えて商品を照明しているのみであり、積極的に照明光の指向性制御や配光制御を行うことができない。【０００９】
従って、牛乳パックや飲料ボトルなど背の高い商品を棚に陳列した際には、上側からの照明光も下側からの照明光も、綺麗な商標やロゴが印刷された商品の中程当りに届き難くなり、消費者の視覚に訴えて購買意欲を喚起させる効果が小さくなる虞が生じる。【００１０】
また、低コスト化と意匠性を向上させるためには、光源から出射される光を所定範囲に拡散し所望の方向に効率よく導光可能な棚板用導光素子を用いたコンパクトな構成の照明装置を用いることが好ましい。【００１１】
本発明は、上記の事情に鑑みてなされたものであって、光源の光を配光制御して所望の特定方向に明るく効率よく均一に照明可能な棚板用導光素子および照明装置を提供することを目的とする。
【課題を解決するための手段】
【００１２】
上記目的を達成するために本発明は、光源から出射される光が入射する入射面と、入射した光を反射する反射面と、反射された光を射出する射出面を備えた導光素子であって、前記反射面は、入射した光を全反射する第一反射面を備え、前記射出面は、前記第一反射面により全反射された光の一部を屈折させて射出し、残りの光を全反射するように前記第一反射面に対して傾斜した射出面で、射出光の最大強度光は射出面法線方向に対して傾斜した方向に射出し、前記第一反射面は入射した光を所定角度範囲に拡散しながら全反射する拡散部を備えると共に、棚板の前端部に沿って配置され、棚板の少なくとも上下の一方を照明する棚板用導光素子としたことを特徴としている。【００１３】
上記の構成によると、棚板の前端部から、光源とは別の位置の特定方向を効果的に照明することが可能となる。また、反射面に平行に近い射出面から斜め方向に射出するので、特定方向に高強度で光を照射し、且つ、第一反射面に備える拡散部を介して射出面色分散による色ムラを軽減して均一な色合いで照射可能となる。さらに、全反射光を利用して高効率反射した光を射出面から屈折させて射出するので、点状光源の光を配光制御して所望の特定方向に明るく効率よく均一に照明可能な棚板用導光素子を得ることができる。【００１４】
また本発明は上記構成の棚板用導光素子において、前記拡散部は、色ムラの発生を抑制可能な拡散角度で拡散することを特徴としている。この構成によると、反射面に、所定の小さな拡散角度に拡散可能な粗面や小さな凹凸を設けたり、拡散反射シートを貼付したりすることで、均一に混色して色ムラを効果的に軽減することができる。【００１５】
また本発明は上記構成の棚板用導光素子において、前記射出光の最大強度光は、射出面法線方向に対して３０度より大きな角度傾斜した方向に射出することを特徴としている。この構成によると、射出面から３０度以上傾斜した特定方向に高強度で光を射出することができる。【００１６】
また本発明は上記構成の棚板用導光素子において、前記射出面は、前記第一反射面に対して平行位置から１〜３０度傾斜していることを特徴としている。この構成によると、射出面で全反射する光が第一反射面で再び反射されて射出面から射出する光の角度が、最初に射出される光の角度に近い角度となるので、合成された明るい光を照射することができる。【００１７】
また本発明は上記構成の棚板用導光素子において、前記入射面は、この入射面に対して略垂直に入射する光が前記第一反射面から全反射されるように傾斜していることを特徴としている。この構成によると、第一反射面で全反射する光を入射面に対して略垂直に入射させるので、入射面表面でのフレネル反射を減らすことができて高照度となる。【００１８】
また本発明は上記構成の棚板用導光素子において、前記入射面は、前記第一反射面に対して平行位置から５０〜８０度傾斜していることを特徴としている。この構成によると、入射面は第一反射面の全反射光を垂直に入射するので、表面でのフレネル反射を減らして高照度となる。【００１９】
また本発明は上記構成の棚板用導光素子において、前記入射面は前記光源を所定間隔で複数並設可能な程度に長寸とされ、この長手方向に沿って同寸の反射面と射出面を有することを特徴としている。この構成によると、複数の光源により長手方向に広く高照度に照明可能で、且つ、それぞれの光源からの光をそれぞれ拡散しているので複数の光源の輝度ムラを軽減して均一に照射可能な棚板用導光素子となる。【００２０】
また本発明は上記構成の棚板用導光素子において、前記反射面は、前記第一反射面に略平行に対向し、前記第一反射面から光を受けて前記第一反射面に向けて反射する第二反射面を有することを特徴としている。この構成によると、光源から離れた位置を照射可能となる。また、第二反射面は第一反射面に対して略平行なので、第一反射面で全反射した光は第二反射面でも全反射して高効率な反射となる。また、光源から射出面までの光路長が長くなるので、並設する光源の間隔を長くすることができ、光源の設置数量を減らすことができる。【００２１】
また本発明は上記構成の棚板用導光素子において、前記拡散部は、前記射出面に向けて反射光を反射する部位に設けられていることを特徴としている。この構成によると、射出面に向かう光を拡散しているので、色ムラを効率よく軽減可能となる。また、拡散部までは、光束を大きくしないで導光できるので、高照度を維持して導光可能となり、輝度ムラと色ムラを軽減することができる。【００２２】
また本発明は、光源と、該光源から出射される光が入射する入射面と、入射した光を反射する反射面と、反射された光を射出する射出面を備えた導光素子と、を備えた照明装置であって、前記導光素子として請求項１から９のいずれかに記載された棚板用導光素子を備えたことを特徴としている。【００２３】
上記の構成によると、光源の光を配光制御して所望の特定方向に明るく効率よく均一に照明可能な照明装置を得ることができる。【００２４】
また本発明は上記構成の照明装置において、前記棚板用導光素子は、第一および第二導光素子を有する一対二個の棚板用導光素子からなり、一つの前記光源が発する光を異なる二方向に導光することを特徴としている。この構成によると、異なる二方向を明るく効率よく均一に照明可能な特定方向とすることができ、一つの光源を用いて異なる二つの特定方向を均一に照明可能となる。【００２５】
また本発明は上記構成の照明装置において、前記棚板用導光素子は、前記光源が発する光を異なる二方向に分岐する分岐部を備えた一体型であって、一つの前記光源が発する光を異なる二方向に導光する第一および第二導光部を有することを特徴としている。この構成によると、簡単で小型な構造の棚板用導光素子を用いて、低コストで異なる二つの特定方向を均一に照明可能な照明装置を得ることができる。【００２６】
また本発明は上記構成の照明装置において、前記光源は点状光源であることを特徴としている。光源を点状光源とすることで、特定方向に高強度で光を照射することが可能となる。【００２７】
また本発明は上記構成の照明装置において、前記点状光源はＬＥＤ光源であることを特徴としている。光源をＬＥＤ光源とすることで、低コストで高い光強度の照明装置を提供することが可能となる。【００２８】
また本発明は上記構成の照明装置において、前記光源を所定間隔で複数並設し、この並設する長手方向に沿って長寸の入射面と反射面と射出面を有し、棚板の前端部に沿って設置することを特徴としている。この構成によると、例えば、棚板の上下を同時に照明することができ、ショーケースの棚板に陳列する商品を効率よく均一に照明可能な照明装置となる。
【発明の効果】
【００２９】
本発明によれば、入射した光を所定角度範囲に拡散しながら全反射する拡散部を有する第一反射面を備えた反射面とし、第一反射面により反射された光の一部を屈折させて射出し、残りの光を全反射する程度に第一反射面に対して傾斜した射出面から射出する棚板用導光素子としているので、光源の光を配光制御して所望の特定方向に明るく効率よく均一に照明可能な棚板用導光素子を得ることができる。また、この棚板用導光素子を用いて、光源の光を配光制御して所望の特定方向に明るく効率よく均一に照明可能な照明装置を得ることができる。
【図面の簡単な説明】
【００３０】
【図１Ａ】本発明に係る第一実施形態の棚板用導光素子を備えた照明装置を示す概略断面図である。
【図１Ｂ】図１Ａの概略正面図である。
【図２】第一実施形態の棚板用導光素子内部の光路を示す概略側面図である。
【図３】入射角と色分散との関係を示す説明図である。
【図４】本発明に係る第二実施形態の棚板用導光素子を備えた照明装置を示す概略断面図である。
【図５】本発明に係る第三実施形態の棚板用導光素子を備えた照明装置を示す概略断面図である。
【図６】本発明に係る第四実施形態の導棚板用光素子を備えた照明装置を示す概略断面図である。
【図７】本発明に係る第五実施形態の棚板用導光素子を備えた照明装置を示す概略断面図である。
【図８Ａ】本発明に係る第六実施形態の棚板用導光素子を備えた照明装置を示す概略断面図である。
【図８Ｂ】図８Ａの概略正面図である。
【図９】本発明に係る第七実施形態の棚板用導光素子を備えた照明装置の一例を示す概略断面構成図である。
【図１０】本発明に係る第八実施形態の棚板用導光素子を備えた照明装置の一例を示す概略断面構成図である。
【図１１】本発明に係る照明装置の照明具合を説明する概略側面図である。
【図１２Ａ】従来の照明装置の照明具合を説明する概略側面図である。
【図１２Ｂ】従来の照明装置の照明具合を説明する概略側面図である。
【図１３Ａ】ＬＥＤ光源を密に複数個並べてなる光源の一例を示す上面図である。
【図１３Ｂ】図１３Ａに示す光源の側面図である。
【図１４Ａ】ＬＥＤ光源を密に複数個並べてなる光源の他の例を示す上面図である。
【図１４Ｂ】図１４Ａに示す光源の側面図である。
【図１５】ＬＥＤ光源を密に複数個並べてなる光源を有する棚板用導光素子を備えた照明装置の一例を示す概略斜視図である。
【図１６】冷陰極管からなる光源を有する棚板用導光素子を備えた照明装置の一例を示す概略斜視図である。
【発明を実施するための形態】
【００３１】
以下に本発明の実施形態を図面を参照して説明する。また、同一構成部材については同一の符号を用い、詳細な説明は適宜省略する。
【００３２】
〈第一実施形態〉
まず、図１Ａ、図１Ｂ、図２、図３を用いて本発明に係る棚板用導光素子の第一実施形態、および、第一実施形態の棚板用導光素子１Ａを備えた照明装置１０Ａについて説明する。なお、以下の説明においては、説明の簡素化のために、光源は点状光源であるとして説明するが、点状光源以外の光源、例えば、面状光源や線状光源を用いてもよい。図１Ａに示すように、照明装置１０Ａは棚板用導光素子１Ａと点状光源２を備えた構成とされる。この棚板用導光素子１Ａは、点状光源２から出射される光が入射する入射面１１Ａと、入射した光を反射する反射面１２Ａと、反射された光を射出する射出面１３Ａとの３面を備えた断面三角形状とされる。
【００３３】
また、反射面１２Ａは、入射した光を所定角度範囲に拡散しながら全反射する拡散部１４を有する第一反射面１２Ａａを備え、射出面１３Ａは、第一反射面１２Ａａにより反射された光の一部を屈折させて射出し、残りの光を全反射する程度に第一反射面１２Ａａに対して傾斜した射出面とされる。
【００３４】
点状光源２は、例えばＬＥＤ光源であって、青色ＬＥＤチップと、このＬＥＤチップからの光に励起されて所定波長の励起光を発光する蛍光体と、を組み合わせて白色発光する白色ＬＥＤ光源を用いることで、この棚板用導光素子１Ａを白色発光する照明装置の導光体として適用することができる。かかる白色ＬＥＤ光源の大きさとしては、例えば、０．６ｍｍ×１．２ｍｍ程度のものが汎用されている。
【００３５】
また、本実施形態の入射面１１Ａは、この入射面１１Ａに対して略垂直に入射する光が第一反射面１２Ａａから全反射される程度に傾斜している。すなわち、入射面１１Ａは、反射面１２（反射面１２Ａと第一反射面１２Ａａを総称して反射面１２として説明する）が全反射する光を略垂直に入射させる傾斜面とされている。このような構成であれば、入射面１１Ａから入射する入射光は反射面１２の全反射光を垂直に近い角度で入射するので、入射面表面でのフレネル反射を減らすことができ高照度となって好ましい。
【００３６】
入射面１１Ａの反射面１２に対する傾斜角度α１は、例えば、反射面１２に対して平行位置から５０〜８０度程度、好ましくは、図に示すように約６０度傾斜している。このような構成であれば、入射面１１Ａに垂直に入射した光を反射面１２で全反射させることができ、フレネル反射を抑制可能となる。すなわち、反射面１２の全反射光を垂直に入射するので、表面でのフレネル反射を減らして高効率に導光可能となる。
【００３７】
射出面１３Ａの反射面１２に対する傾斜角度α２は、例えば、反射面１２に対して平行位置から１〜３０度傾斜していることが好ましく、本実施形態では図に示すように約１５度傾斜している。このような構成であれば、射出面１３Ａで全反射した光は、反射面１２で再び反射されて射出面１３Ａから屈折射出する、また、この際に、射出面１３Ａから射出する光の角度は、最初に射出される光の角度に近い角度となるので、これらの光が合成された明るい光を照射することができる。
【００３８】
つまり、射出面１３Ａが反射面１２に平行に近いので、射出面１３Ａで射出される光は臨界角を少し外れて射出された特定方向に射出光が多く、射出面１３Ａで全反射される光も多い。射出面１３Ａで全反射する光は、射出面１３Ａが反射面１２に対して傾斜しているので、射出面１３Ａでの１回の反射により射出面１３Ａの傾斜角度の二倍だけ小さい角度となって反射面１２にて反射され、射出面１３Ａから射出する。この射出される光は臨界角を少し外れたときに射出するので、特定方向に高強度にて射出することができる。
【００３９】
すなわち、射出面１３Ａの反射面１２に対する傾斜角度α２は、反射面１２からの光の一部を屈折出射し、残りを全反射させ、全反射した光が再び反射面１２を介して反射して入射したときに、屈折出射する程度の角度であればよい。また、反射の繰り返し回数は２回に限定されず、３回でも４回でも良いので、傾斜角度α２は反射面１２に対して平行位置から１〜３０度傾斜していてもよい。
【００４０】
本実施形態では、棚板用導光素子１Ａを、屈折率が約１．５の透光性部材（ＰＭＭＡ：アクリル）製としている。そのために、全反射角は約４２度となるので、傾斜角度α２が１５度であれば、全反射角４２度から９０度の光が、射出面に２７度から７５度の光となって入射し、２７度から４２度未満の光が射出する。射出面で全反射する４２度から７５度の光は、反射面で反射されて入射角１２度から４５度となり、略全ての光が射出する。なお、反射面１２（第一反射面１２Ａａ）で拡散するので、射出面１３Ａで全反射角となる光は残るが、数回の少ない往復反射で大部分の光が射出するので照度強度に大きな影響はない。
【００４１】
このように、棚板用導光素子１Ａと点状光源２を備える照明装置１０Ａは、反射面１２（反射面１２Ａと第一反射面１２Ａａ）での全反射光を効率よく射出する構成としているので、反射面１２に誘電体ミラーのような高価な処理を施すことなく、特定方向を明るく照明することができる。
【００４２】
例えば、図２に示すように、点状光源２から反射面１２に向かう光Ｒａは、反射面１２で全反射し、射出面１３Ａでさらに全反射し、再度反射面１２で全反射して射出面１３Ａから矢印ＤＡ方向に射出する。
【００４３】
また、点状光源２から射出面１３Ａに向かう光Ｒｂは、射出面１３Ａで全反射し、反射面１２で全反射し、再度射出面１３Ａで全反射し、再度反射面１２で全反射した後、射出面１３Ａから矢印ＤＢ方向に射出する。つまり、射出面１３Ａと反射面１２との間で往復反射して全反射角から外れた光、すなわち、反射面１２で全反射されて射出面１３Ａで射出される射出角に近い光が射出する構成となる。
【００４４】
上記したように、射出面１３Ａの傾斜角度α２を反射面１２に近い角度（例えば、１５度）に設定することで、射出面１３Ａより斜め方向に射出して射出面１３Ａの法線方向から所定角度傾斜（例えば、４５度）したＡ方向付近には高強度の光が射出し、反射面１２に垂直なＢ方向に射出する光は反射面１２から殆んど導かれないので射出せず、特定方向のＡ方向付近のみを高強度に照射するように構成する（制御する）ことができる。
【００４５】
射出面１３Ａの傾斜角が反射面１２に平行に近いほど反射面１２で全反射する光が射出面１３Ａでも全反射する光が多くなり射出面１３Ａに平行な方向に射出光が偏り、より限られた特定方向のみを高強度に照明できる。
【００４６】
このとき、図３に示すように、射出面に対する入射角が２０度より大きい（射出角が３０度よりも大きいことに相当）と色分散による影響が大きくなる。すなわち、色ムラが発生する虞が生じる。しかし、第一反射面での拡散部によって射出面への入射角度や射出位置が少しずつ異なるので、互いに混ぜ合わされて大きく拡散せずに色ムラの発生を抑制可能となって、色ムラが軽減された照明光を均一に射出することができる。
【００４７】
図３は、Ｄ線での屈折率が１．５の導光素子（棚板用導光素子）における媒質内での射出面への入射角と、色分散により屈折率が約０．０１だけ異なる場合の射出角における角度差Δθ度（縦軸の最大値が３°程度である）を示している。この図から判るように、媒質内で２０度を超える入射角では射出角の角度差が線形から外れ、大きな角度差が生じる。また、媒質内での入射角２０度は射出角で約３０度となるので、射出角３０度以上において色分散の影響が大きくなって、色ムラが生じやすくなることが判る。
【００４８】
なお、棚板用導光素子に屈折率が１．５より低い材料を用いた場合は、媒質内での入射角が２０度より数度だけ大きい角度にて色分散による影響が大きく、屈折率が１．５より高い材料を用いた場合は、媒質内での入射角が２０度より数度小さい角度にて色分散の影響が大きくなる。
【００４９】
本実施形態の棚板用導光素子１Ａは屈折率１．５の媒質（ＰＭＭＡ）を用いて、第一反射面１２Ａａに設ける拡散部１４を介して、射出面１３Ａへの入射角度や射出位置が少しずつ異ならせて互いに混ぜ合わせているので、色ムラが軽減された光を均一な照度で射出することができる。
【００５０】
例えば、図１Ａに示すように、点状光源２から射出された光Ｒ１は、拡散部１４を有する第一反射面１２Ａａにより所定角度範囲に拡散され、射出面１３Ａからそれぞれ射出角度が異なる光線Ｌ１ａ、Ｌ１ｂ、Ｌ１ｃとして射出される。また、これらの光線の射出方向は、射出面１３Ａから所定方向に屈折して射出するので、所望の方向に予め規定しておくことができる。
【００５１】
そのために、棚板用導光素子１Ａが図１Ｂに示すように、点状光源２を所定間隔で複数並設可能な程度に長寸とされる入射面１１Ａと、この長手方向に沿って同寸の反射面と射出面１３Ａを有する長尺部材からなる場合は、この長尺な棚板用導光素子１Ａと複数の点状光源２を備えて長手方向に長い照明装置１０Ａであっても、複数並設された点状光源から出射される光は、第一反射面１２Ａａでの拡散によって互いに混ぜ合わされて、長手方向にも均一な、また、所定の特定方向を照明する照明光となる。
【００５２】
従来のように、射出面に拡散手段を配設する構成では、照明光の発散角が大きくなってしまい所望される特定方向を高強度に照射することができない。本実施形態では、射出する直前の第一反射面に拡散部を配置して特定方向への照射と均一性を両立している。
【００５３】
上記したように、入射面１１Ａは、点状光源２を所定間隔で複数並設可能な程度に長寸とされ、この長手方向に沿って同寸の反射面１２（１２Ａ、１２Ａａ）と射出面１３Ａを有する構成とすることで、複数の点状光源２により長手方向に広く高照度に照明可能となる。また、それぞれの点状光源２からの光をそれぞれ拡散しているので複数の点状光源２の輝度ムラを軽減して均一に照射可能な棚板用導光素子となる。
【００５４】
拡散部１４は、射出面１３Ａに向けて反射光を反射する部位に設けることが好ましい。この構成であれば、射出面１３Ａに向かう光を所定角度範囲に拡散して、色ムラを効率よく軽減可能となる。また、拡散部１４までは、光束を大きくしないで導光できるので、高照度を維持して導光可能となり、輝度ムラと色ムラを軽減することができる。
【００５５】
すなわち、反射面１２における拡散部１４を備える第一反射面１２Ａａは射出面１３Ａに近い位置にのみ設けて、拡散により光束と発散角をむやみに大きくせずに、射出面１３Ａでの色ムラや、複数の点状光源２の輝度ムラ、棚板用導光素子内面での反射回数の異なる照明光束の輝度ムラを軽減している。
【００５６】
この拡散部１４は、色分散の影響を抑制可能な程度の拡散角度で拡散することが好ましい。すなわち、反射面１２に、所定の小さな拡散角度に拡散可能な粗面や小さな凹凸を設けたり、拡散反射シートを貼付したりすることで、均一に混色して色ムラを効果的に軽減することができる。そのために、ここで用いる拡散部１４は、例えば、棚板用導光素子１Ａの表面を粗面加工して形成してもよく、拡散ドットを印刷形成してもよく、拡散フィルムや拡散反射板を貼り付ける構成としてもよい。
【００５７】
また、点状光源２として使用するＬＥＤ光源は、青色ＬＥＤと黄色蛍光体を用いた白色ＬＥＤ光源に限定されず、赤青緑の三原色ＬＥＤによる白色ＬＥＤ光源でも、白色以外のＬＥＤ光源を用いても良い。
【００５８】
また、反射面１２で全反射しない光は、反射面１２の背面に反射部材（例えば、アルミ製カバー）を配置して、この反射部材により反射された光が棚板用導光素子に再入射するように構成することが好ましい。この反射部材は、アルミ製カバーや、カバーに白色塗料などの白色反射処理やミラー処理を施した部材を用いてもよいし、これらの部材に替えて反射面１２にミラー処理を施した構成やミラーフィルムを貼り付けた構成でもよい。
【００５９】
なお、この照明装置１０Ａを、より高い照度にするには、点状光源２であるＬＥＤ光源に高い輝度のＬＥＤ光源を用いるか、または、より多くのＬＥＤ光源を設置すればよい。図１３Ａ、１３Ｂに白色光源であるＬＥＤ光源Ｋ１を密に複数個並べてなる光源４０の一例である光源４０Ａを示す。図１３Ａは光源４０Ａの上面図であり、図１３Ｂは光源４０Ａの側面図である。
【００６０】
ＬＥＤ光源Ｋ１は、青色光４３を発する発光中心４１ａを備える青色ＬＥＤ４１上に、青色光４３を所定の変換効率で黄色光４４に変換する蛍光体４２を有してなる。青色光４３は一部が黄色光４４に変換され、残りはＬＥＤ光源Ｋ１を出射するので、青色光４３と黄色光４４とが混じり合うことで白色光が形成される。
【００６１】
蛍光体４２は、青色ＬＥＤ４１の上部全体を覆うように形成される。そのため、ＬＥＤ光源Ｋ１を図１３Ａのように密に配置すると、青色ＬＥＤ４１の発光中心４１ａは離散的に配置されていても、蛍光体４２部分は連続して配置されているように見える。蛍光体４２部分から白色光が出射されるので、ＬＥＤ光源Ｋ１を配列する方向（図ではＸ方向）に延在する発光面を備える光源であるかのように見えることとなる。
【００６２】
かかる光源は線状光源であるということもできるし、線状に長い面光源（ＸＹ面）であるとも言える。このことから、本発明においては、点状光源２の列に替えて、この点状光源２を複数配設する方向に延在する発光面を備える光源を用いてもよいと言える。かかる光源における上下間の方向（図ではＹ方向）の長さは小さいほど好ましい。なお、点状光源の場合も、配列方向と直交する上下方向の長さ（サイズ）は小さいほど好ましいことは言うまでもない。
【００６３】
すなわち、ここでいう点状光源とは、照明光学系の大きさと比較して、例えば光を水平方向に射出する発光面の上下左右のサイズが共に十分小さい光源をいう。例えば、配列方向と直交する上下に相対向して反射面を設ける場合には、この二つの反射面の間の方向の長さに対して、点状光源のその方向の長さが十分小さい（例えば３分の１）光源を言う。かかる大きさにすることで、特定方向を効率的に照明することができる。
【００６４】
点状光源であるＬＥＤを配列する方向に延在する発光面を備える光源４０の他の例としては、例えば図１４Ａ、１４Ｂに示す光源４０Ｂがある。図１４Ａは光源４０Ｂの上面図、図１４Ｂは光源４０Ｂの側面図である。この光源４０Ｂは、基板２１と、基板２１の上に実装された複数の青色ＬＥＤ４１と、複数の青色ＬＥＤ４１を覆う蛍光体４２とを備えている。基板２１上には、青色ＬＥＤ４１に電力を供給するための配線パターンが形成されており、青色ＬＥＤ４１の一方の電極はその配線パターン上に接触しており、他方の電極へは配線パターンからワイヤボンディングされている。
【００６５】
青色ＬＥＤ４１は電力の供給を受けて、発光面から青色光４３を発光する。青色光４３は、蛍光体４２内を進行するにあたり、その蛍光体４２の特性に応じた変換効率で黄色光４４に変換される。蛍光体４２を出射する光は青色光４３と黄色光４４とが適度に混じることで白色光になり、光源４０Ｂは白色光を出射することとなる。
【００６６】
図１５は、かかる光源４０（４０Ａ、４０Ｂ）が棚板用導光素子１Ａに実装された照明装置１０Ａの一例を示す。また、かかる光源４０に相当する他の例としては細線状の冷陰極管がある。かかる光源５０を備えた照明装置１０Ａの変形例を図１６に示す。図１６に示す照明装置１０Ａは、棚板用導光素子１Ａに冷陰極管からなる光源５０が実装されてなる。
【００６７】
以上のように本実施形態に係る棚板用導光素子１Ａは、入射した光を所定角度範囲に拡散しながら射出面１３Ａに導く第一反射面１２Ａａを備えており、射出面１３Ａから所定方向に屈折して射出しているので、点状光源２の光を配光制御して所望の特定方向に明るく効率よく均一に照明可能な棚板用導光素子となる。
【００６８】
〈第二実施形態〉
次に、図４を用いて第二実施形態の棚板用導光素子１Ｂ、および、第二実施形態の棚板用導光素子１Ｂを備えた照明装置１０Ｂについて説明する。
【００６９】
この棚板用導光素子１Ｂは、反射面として前述した反射面１２に相当する第一反射面１２Ｂａに加えて、この第一反射面１２Ｂａに略平行に対向し、第一反射面１２Ｂａから光を受けて第一反射面１２Ｂａに向けて反射する第二反射面１２Ｂｂを有する一例である。
【００７０】
このような構成であれば、第一反射面１２Ｂａと第二反射面１２Ｂｂとの間を繰り返し反射して、点状光源２から離れた位置を照射可能となる。また、第二反射面１２Ｂｂは第一反射面１２Ｂａに対して略平行なので、第一反射面１２Ｂａで全反射した光は第二反射面１２Ｂｂでも全反射して高効率な反射となる。また、光源から射出面１３Ｂまでの光路長が長くなるので、並設する点状光源２の間隔を長くすることができ、点状光源２の設置数量を減らすことができる。
【００７１】
この際に、第一反射面１２Ｂａに設ける拡散部１４は、射出面１３Ｂに近い部位に設けて、拡散により光束と発散角をむやみに大きくしないことが好ましい。光束と発散角を大きくしないので大型化することなく全反射を使って効率良く光を導光することが可能である。また、第一反射面１２Ｂａおよび第二反射面１２Ｂｂの裏面に前述したのと同様な反射部材を設けて、それぞれの反射面で全反射しない光を全て棚板用導光素子内に再入射させるようにしている。
【００７２】
第二反射面１２Ｂｂは第一反射面１２Ｂａに対して略平行なので、第二反射面１２Ｂｂで反射された大半の光は第一反射面１２Ｂａに導かれた後に射出面１３Ｂに導かれて射出する。また、入射面１１Ｂから直接、あるいは、第二反射面１２Ｂｂで反射され射出面１３Ｂに導かれる光は、射出面１３Ｂを第一反射面１２Ｂａおよび第二反射面１２Ｂｂに対して平行に近い角度に傾斜させておくことで、射出面１３Ｂで全反射され、第一反射面１２Ｂａで射出面１３Ｂに向けて反射する回数を一回（図中の点線に示す光Ｒｃ）あるいは複数回繰り返した後に、射出面１３Ｂで全反射角から外れたものから順次射出する。
【００７３】
つまり、射出面１３Ｂの傾斜角を第一反射面１２Ｂａに平行に近い角度（例えば、１５度）に設定することで、射出面１３Ｂより斜め方向に射出して射出面１３Ｂの法線から所定角度（例えば、４５度）傾斜した図中の矢印Ａ方向付近には高強度の光が射出し、第一反射面１２Ｂａに垂直な図中の矢印Ｂ方向に射出する光は第一反射面１２Ｂａから殆んど導かれないので射出せず、特定方向のＡ方向付近のみを高強度で照射するように制御できる。
【００７４】
また、第二反射面１２Ｂｂと第一反射面１２Ｂａ間で反射回数の異なる光は、第一反射面１２Ｂａでの拡散部１４によって射出面１３Ｂへの入射角度や射出位置が少しずつ異なるので互いに混ぜ合わされて大きく拡散することなく均一に射出することができる。
【００７５】
上記した構成の棚板用導光素子１Ｂであっても、入射した光を所定角度範囲に拡散しながら全反射する拡散部１４を有する第一反射面１２Ｂａで反射した光を射出面１３Ｂから射出する棚板用導光素子であることに変わりはないので、点状光源の光を配光制御して所望の特定方向に明るく効率よく均一に照明可能な棚板用導光素子となる。
【００７６】
そのために、棚板用導光素子１Ｂと点状光源２を備えた照明装置１０Ｂは、点状光源２の光を配光制御して所望の特定方向に明るく効率よく均一に照明することができる。
【００７７】
〈第三、第四、第五実施形態〉
次に、図５、図６、図７を用いて、それぞれ第三実施形態の棚板用導光素子１Ｃ、第四実施形態の棚板用導光素子１Ｄ、第五実施形態の棚板用導光素子１Ｅ、および、これらを備えた照明装置について説明する。
【００７８】
図５に示す第三実施形態の棚板用導光素子１Ｃは、第二実施形態の棚板用導光素子１Ｂが備える第一反射面１２Ｂａに替えて全面に拡散部を設けた第一反射面１２Ｃａを備えた一例を示している。また、本実施形態では、印刷による拡散ドットからなる拡散部１４Ａとしている。
【００７９】
拡散ドットからなる拡散部１４Ａは、より小さな拡散角度に制御することが可能であるので、光束および射出面からの発散角をむやみに大きくせず、特定方向（例えば、図中に示す矢印方向）に射出できる。この例では、入射面１１Ｃに近い側にも拡散ドットを設けているので、射出光はやや大きめの発散角を有する場合が生じるが、射出面１３Ｃでの屈折により特定方向へ照射制御することが可能である。
【００８０】
このときに、入射面１１Ｃから入射する点状光源２の光を第一反射面１２Ｃａと第二反射面１２Ｃｂとを介して、全て射出面１３Ｃに導くことが可能な構成であれば、入射面１１Ｃは、図中に示すように第一実施形態の入射面１１Ａと同様に傾斜した面であっても、第二実施形態の棚板用導光素子１Ｂが備える入射面１１Ｂと同様に傾斜せずに第一反射面と直交する方向の面であってもよい。
【００８１】
また、射出面１３Ｃの傾斜角を第一反射面１２Ｃａに平行に近い角度に設定することで、射出面１３Ｃより斜め方向に射出して射出面１３Ｃの法線から所定角度傾斜した図中の矢印方向付近に高強度の光を射出していることは同様である。そのために、この棚板用導光素子１Ｃであっても、入射した光を所定角度範囲に拡散しながら全て射出面１３Ｃに導き、射出面１３Ｃから特定方向に射出する棚板用導光素子であることに変わりはないので、点状光源の光を配光制御して所望の特定方向に明るく効率よく均一に照明可能な棚板用導光素子となる。
【００８２】
図６に示す第四実施形態の棚板用導光素子１Ｄは、第三実施形態の棚板用導光素子１Ｃとは、アルミ製カバー１５を用いて拡散反射させている点が異なり、その他の構成は同じであって、点状光源２の光を入射する入射面１１Ｄと、第一反射面１２Ｄａと第二反射面１２Ｄｂと射出面１３Ｄを備えている。
【００８３】
アルミ製カバー１５は、拡散反射機能を有する反射面１５ａを備えており、この反射面１５ａが第一反射面１２Ｄａで全反射されない光を拡散反射して再び棚板用導光素子１Ｄ内に入射させる。すなわち、拡散反射機能を有する反射面１５ａを備えたアルミ製カバー１５が拡散部１４Ｂを形成する。
【００８４】
このような構成でも、入射した光を所定角度範囲に拡散しながら全て反射して射出面１３Ｄまで導光することが可能である。そのために、第四実施形態の棚板用導光素子１Ｄであっても、入射した光を所定角度範囲に拡散しながら全て射出面から射出する棚板用導光素子であることに変わりはないので、点状光源の光を配光制御して所望の特定方向に明るく効率よく均一に照明可能な棚板用導光素子となる。
【００８５】
図７に示す第五実施形態の棚板用導光素子１Ｅは、第三実施形態の棚板用導光素子１Ｃが備える拡散部１４Ａに替えて、第二反射面に拡散ドットからなる拡散部１４Ｃを備えた点が異なり、その他の構成は同じである。すなわち、点状光源２の光を入射する入射面１１Ｅと、第一反射面１２Ｅａと第二反射面１２Ｅｂと射出面１３Ｅを備えている。
【００８６】
第二反射面１２Ｅｂに拡散部１４Ｃを備えているので、この拡散部１４Ｃにより所定の小さな角度に拡散された光が第一反射面１２Ｅａに向けて反射し、第一反射面１２Ｅａから射出面１３Ｅに導かれる。
【００８７】
このような構成の棚板用導光素子１Ｅであっても、入射した光を所定角度範囲に拡散しながら全て反射して射出面まで導光することは同様である。そのために、第五実施形態の棚板用導光素子１Ｅは、入射した光を所定角度範囲に拡散しながら全て射出面１３Ｅから射出する棚板用導光素子であり、点状光源２の光を配光制御して所望の特定方向に明るく効率よく均一に照明可能な棚板用導光素子となる。
【００８８】
そのために、棚板用導光素子１Ｃと点状光源２を備えた照明装置１０Ｃも、棚板用導光素子１Ｄと点状光源２を備えた照明装置１０Ｄも、棚板用導光素子１Ｅと点状光源２を備えた照明装置１０Ｅも、それぞれ、点状光源２の光を配光制御して所望の特定方向に明るく効率よく均一に照明することができる。
【００８９】
〈第六実施形態〉
次に、図８Ａ、図８Ｂを用いて第六実施形態について説明する。この実施形態は、第一棚板用導光素子１Ａａおよび第二棚板用導光素子１Ａｂを備えて、一個の点状光源２の光を一対二個の棚板用導光素子を介して異なる二方向に導光している一例を示す。
【００９０】
すなわち、図８Ａの断面図に示すように、棚板用導光素子１Ｆは、第一棚板用導光素子１Ａａと第二棚板用導光素子１Ａｂとを上下に組み合わせた構成であり、この棚板用導光素子１Ｆを備えた照明装置１０Ｆは、一対二個の棚板用導光素子の突合せ部に点状光源２を配設した構成である。また、図８Ｂに示すように、点状光源２を所定間隔で複数並設する方向を長手方向とする長尺な照明装置１０Ｆである。
【００９１】
第一棚板用導光素子１Ａａの入射面１１Ａａと第二棚板用導光素子１Ａｂの入射面１１Ａｂとは、所定の角度で交差しているので、この交差した入射面を介して一個の点状光源２から受光する光を異なる二方向に分岐する。また、それぞれの入射面から入射した光を反射面と射出面との間で往復反射して全反射角から外れた光を射出するので、異なる特定の二方向を高照度に照明することができる。
【００９２】
上記したように、第一棚板用導光素子１Ａａと第二棚板用導光素子１Ａｂとから構成される棚板用導光素子１Ｆは、一つのＬＥＤ光源が発する光を異なる二方向に導光し、異なる二方向を明るく効率よく均一に照明可能であるので、照明装置１０Ｆは、複数の点状光源２から光を受け手、長手方向に広く高照度に照明可能となる。また、それぞれの点状光源２からの光をそれぞれ拡散して所定方向に射出しているので、異なる特定の二方向を均一に照明することができる。
【００９３】
また、一対二個の棚板用導光素子を組みあわせる際には、上記の棚板用導光素子１Ａに替えて、前述した棚板用導光素子１Ｂ〜１Ｅ同士を組み合わせることも、これらを適宜組み合わせて用いることも可能である。さらに、一対二個組み合わせることに替えて、一対二個を組み合わせた形状の一体型の棚板用導光素子を用いることもできる。
【００９４】
次に、一対二個を組み合わせた形状の一体型の棚板用導光素子を用いた実施形態について図９を用いて説明する。
【００９５】
〈第七実施形態〉
図９に示す第七実施形態の棚板用導光素子１Ｇは、入射面１１Ｇを備える入射部１Ｇａと、第一導光部１Ｇｂと第二導光部１Ｇｃを一体に備えた断面Ｔ型の棚板用導光素子であって、入射面１１Ｇを形成する第一入射面１１Ｇａと第二入射面１１Ｇｂとを介して、点状光源２が射出する光を第一導光部１Ｇｂと第二導光部１Ｇｃに分岐して導光している。
【００９６】
すなわち、棚板５の先端に取付部材６を用いて装着された棚板用導光素子１Ｇは、棚板５の先端に装着した点状光源２（基板２１にＬＥＤ光源を搭載したチップ型の光源）の光を、棚板５の上側の特定方向に向けて射出する光線Ｌ１と、棚板５の下側の特定方向に向けて射出する光線Ｌ２とに分岐して射出する。
【００９７】
上記したように、棚板５の先端に点状光源２と棚板用導光素子１Ｇを配設した照明装置１０Ｇは、棚板５の上下の特定方向を同時に照明することができる。そのために、ショーケースの棚板５に沿って複数の点状光源２を備える長尺な形状とされる照明装置１０Ｇを用いることで、ショーケースに陳列する商品を効率よく均一に照明可能となる。
【００９８】
ここで、１５Ａ、１５Ｂは、例えば、拡散反射機能を有するアルミ製カバーであって、所望される特定方向以外には、光を射出せず棚板用導光素子１Ｇの内部に向けて反射する機能と、反射する際に、所定角度範囲に拡散する機能を有する。特に、カバー１５Ａの射出面に近接した部位に拡散部１４を設けて、所定角度範囲に拡散した反射光を上側の射出面１３Ｇａに向けて光を反射することで、色ムラや照度ムラを抑制可能となる。
【００９９】
点状光源２から射出されて、交差する入射面１１Ｇａ、１１Ｇｂに入射した光は、第一導光部１Ｇｂに向かう光は全て射出面１３Ｇａから射出し、第二導光部１Ｇｃに向かう光は全て射出面１３Ｇｂから射出する。
【０１００】
上記したように、点状光源２が射出する光を異なる二方向に分岐して導光する棚板用導光素子１Ｇを用いた照明装置１０Ｇは、棚板の上下の特定方向を同時に照明することができ、ショーケースに陳列する商品を効率よく均一に照明可能な照明装置となる。
【０１０１】
〈第八実施形態〉
図１０に示す第八実施形態は、点状光源２が射出する光を分岐する分岐部を点状光源２に対向する棚板用導光素子の裏面側に設けた例を示す。この第八実施形態の棚板用導光素子１Ｈは、点状光源２が射出する光を直接受けて裏面側に設ける分岐部１１Ｈで異なる二方向に分岐しているので、断面Ｔ型である必要はなく、図に示すような板状でもよい。
【０１０２】
すなわち、紙面に垂直方向に長尺な板状の棚板用導光素子１Ｈであり、点状光源２が射出する光を分岐するＶ溝状の分岐部１１Ｈを備える。分岐部１１Ｈは、第一分岐面１１Ｈａと第二分岐面１１Ｈｂとが所定角度で交差したＶ形状とされ、第一分岐面１１Ｈａで反射した光を第一導光部１Ｈｂを介して第一射出面１３Ｈａに導き、第二分岐面１１Ｈｂで反射した光を第二導光部１Ｈｃを介して第二射出面１３Ｈｂに導く。
【０１０３】
また、第一射出面１３Ｈａは前述した射出面１３Ａ、１３Ｂと同様に、第一反射面１２Ｈに対して所定角度（例えば１０〜３０度）傾斜して、特定方向に向かう光線Ｌ１を射出する。第二射出面１３Ｈｂは、図示するように、板状の下面に設けてもよく、この場合は、棚板用導光素子１Ｈの下側の棚板方向に向けて射出する光線Ｌ２、棚板から離れる方向に向けて射出する光線Ｌ３とで示すように、棚板用導光素子１Ｈの下側の広い範囲を照明する。
【０１０４】
すなわち、棚板５Ａの先端に装着するホルダ７とステー７Ａを介して点状光源２を実装した基板２１と棚板用導光素子１Ｈと反射部材１５Ｃを取り付けた構成の照明装置１０Ｈは、棚板用導光素子１Ｈを取り付ける棚板５Ａの斜め上方に向かう照明光（Ｌ１）と、棚板５Ａの下側の広い範囲を照明する照明光（Ｌ２＋Ｌ３）を射出する。また、基板２１に対向する面を含む棚板用導光素子１Ｈの所定部位に反射板１２Ｈｂを装着してもよい。
【０１０５】
そのために、斜め上方に向かう照明光により、棚板５Ａに載置される商品Ｍの物体表面を効果的に照明し、棚板５Ａの下側の広い範囲を照明する照明光により、棚板５Ａの下側の棚板に載置された商品の上部を効果的に照明する。つまり、複数段の棚板に本実施形態に係る照明装置１０Ｈを設けることにより、上下から棚板上の物体を照明できるので、影が少なく、効率よく明るい照明とすることができる。
【０１０６】
上記した本実施形態に係る棚板用導光素子１Ａ〜１Ｈを備えた照明装置１０Ａ〜１０Ｈは、色ムラや輝度ムラを軽減する程度に拡散して射出面に導き、射出面から全反射角度から外れた光を斜め方向に屈折して射出しているので、所定の特定方向に配光制御された光となって、斜めの特定方向を明るく効率よく均一に照明可能となる。
【０１０７】
そのために、図１１に示すように、牛乳パックやジュースパックなどの背の高い商品Ｍ１を載置した棚板５Ｂに棚板用導光素子１（１Ａ〜１Ｈ）を装着して、特定方向に向かう光線Ｌ１ａ、Ｌ１ｂ、Ｌ１ｃを均一に射出する照明装置を実現することが可能となる。
【０１０８】
従来の照明装置では、射出面で拡散しているので、射出面で大きく散乱してしまい特定方向へ向けて射出させる制御が困難であり、照明領域における輝度ムラも大きい。また、拡散しないと射出面での色分散による色ムラや、異なる反射回数の射出光による輝度ムラ、複数点状光源の輝度ムラにより照射均一性が損なわれる。
【０１０９】
また、棚板用導光素子の材料に拡散剤や微粒子を混入させて拡散する場合も、射出面に拡散手段を設けるのと同じく、大きく散乱して特定方向への射出制御が困難となる。
【０１１０】
例えば、図１２Ａに示すように、射出面で拡散している従来の棚板用導光素子１Ｘを用いた照明では、棚板５Ｂ上に載置された背の高い商品Ｍ１に照射される光ＤＸは、図に示すように上下の広い範囲に散乱し、その光強度もばらつくので、商品の表面を均一に照明することは困難であり、商品の識別が難しくなる。また、購入者に信頼感や安心感を与えることができなくなるため好ましくない。
【０１１１】
図１２Ｂに示すように、背の高い商品に対して、その上方部分を特に照明するために、その上面から射出する構成とした棚板用導光素子１Ｙを用いた照明では、商品Ｍ１の上方部分を大きく散乱した光ＤＹで照明するので、所望される表示ラベル部分を均一に照明することは困難であり、購入者にとっては好ましくない。
【０１１２】
これに対し、本実施形態によれば、棚板用導光素子の全反射と所定角度範囲の拡散と射出面での斜め方向の屈折により、特定方向に配光制御して照明可能であるので、所望される特定方向を明るく効率よく均一に照明可能な棚板用導光素子および照明装置となる。
【０１１３】
なお、点状光源としてチップ型のＬＥＤ光源を用いた実施形態例としたが、その他の点状光源であってもよく、例えば、レンズ付きや砲弾型のＬＥＤ光源を用いてもよい。
【０１１４】
上記したように、本発明に係る棚板用導光素子によれば、点状光源とは別の位置の特定方向を効果的に照明することが可能となる。また、反射面に平行に近い射出面から斜め方向に射出するので、特定方向に高強度で光を照射し、且つ、第一反射面に備える拡散部を介して射出面色分散による色ムラを軽減して均一な色合いで照射可能となる。さらに、全反射光を利用して高効率反射した光を射出面から屈折させて射出するので、点状光源の光を配光制御して所望の特定方向に明るく効率よく均一に照明可能な棚板用導光素子を得ることができる。
【０１１５】
また、本発明に係る照明装置によれば、点状光源の光を配光制御して所望の特定方向に明るく効率よく均一に照明可能な照明装置を得ることができる。
【産業上の利用可能性】
【０１１６】
そのために、本発明に係る棚板用導光素子および照明装置は、上下に複数の棚板を備える多段式のショーケースの棚板に載置する背の高い商品を照明するための照明装置に好適に適用することができる。
【符号の説明】
【０１１７】
１Ａ〜１Ｈ    棚板用導光素子
２    点状光源（光源、ＬＥＤ光源）
５、５Ａ、５Ｂ  棚板
１０Ａ〜１０Ｈ  照明装置
１１、１１Ａ〜１１Ｈ    入射面
１２    反射面
１２Ａａ〜１２Ｈａ  第一反射面
１２Ａｂ〜１２Ｈｂ  第二反射面
１３Ａ〜１３Ｈ    射出面
１４、１４Ａ〜１４Ｃ    拡散部
【図１Ａ】
2012105315.tif 000003
【図１Ｂ】
2012105315.tif 000004
【図２】
2012105315.tif 000005
【図３】
2012105315.tif 000006
【図４】
2012105315.tif 000007
【図５】
2012105315.tif 000008
【図６】
2012105315.tif 000009
【図７】
2012105315.tif 000010
【図８Ａ】
2012105315.tif 000011
【図８Ｂ】
2012105315.tif 000012
【図９】
2012105315.tif 000013
【図１０】
2012105315.tif 000014
【図１１】
2012105315.tif 000015
【図１２Ａ】
2012105315.tif 000016
【図１２Ｂ】
2012105315.tif 000017
【図１３Ａ】
2012105315.tif 000018
【図１３Ｂ】
2012105315.tif 000019
【図１４Ａ】
2012105315.tif 000020
【図１４Ｂ】
2012105315.tif 000021
【図１５】
2012105315.tif 000022
【図１６】
2012105315.tif 000023
【国際調査報告】
2012105315.tif 000024
2012105315.tif 000025
2012105315.tif 000026
2012105315.tif 000027